(57)【要約】【課題】  ＡＲＩＢ標準  ＲＣＲ  ＳＴＤ−２８の規定に準拠して一斉通報メッセージを確実にＰＨＳ端末に送信する。【解決手段】  ＰＢＸ１は、一斉通報指示を認識すると、ＰＨＳ基地局４−１〜４−ｍから一斉通報指示内容に対応する文字メッセージをＳＴＤ−２８に規定のＵＳＣＣＨ又はＩＮＦＯに格納して一斉通報する。ＰＨＳ端末５−１〜５−ｐは、受信したＵＳＣＣＨ又はＩＮＦＯ内に一斉通報に係る文字メッセージ情報が格納されている場合、一斉通報の文字メッセージを受信し、表示部に表示する。【選択図】  図１
2010213092.tif 000002
【特許請求の範囲】
【請求項１】
ＰＨＳ基地局を接続する電話交換装置と、ＰＨＳ端末とを含み、第二世代コードレス電話システム標準規格に準拠してＰＨＳ通信を可能とする電話交換システムにおいて、
前記電話交換装置は、
一斉通報指示内容に対応する文字メッセージ情報を記憶する記憶手段と、
一斉通報指示を認識すると、前記記憶手段に記憶された当該一斉通報指示内容に対応する文字メッセージ情報をＵＳＣＣＨに格納して、当該ＵＳＣＣＨを前記ＰＨＳ基地局から送出させて一斉通報する一斉通報手段と、を備え、
前記ＰＨＳ端末は、
前記一斉通報を受信するモードに設定する設定手段と、
前記一斉通報を受信するモードの場合、前記ＵＳＣＣＨを受信するＵＳＣＣＨ受信手段と、
前記ＵＳＣＣＨ受信手段が受信した前記ＵＳＣＣＨ内に一斉通報に係る文字メッセージ情報が格納されている場合、当該文字メッセージ情報を表示部に表示させる表示制御手段と、を備え、
たことを特徴とする電話交換システム。
【請求項２】
前記記憶手段は、一斉通報指示内容に対応する文字メッセージ情報に加えてグループ情報を記憶しており、
前記一斉通報手段は、一斉通報指示を認識すると、前記記憶手段に記憶された当該一斉通報指示内容に対応する文字メッセージ情報とグループ情報とをＵＳＣＣＨを格納して、当該ＵＳＣＣＨを前記ＰＨＳ基地局から送出させるものであり、
前記表示制御手段は、前記受信手段が受信した前記ＵＳＣＣＨ内に自端末が処理するグループ情報が格納されており、かつ、一斉通報に係る文字メッセージ情報が格納されている場合に、当該文字メッセージ情報を表示部に表示させる、
ことを特徴とする請求項１記載の電話交換システム。
【請求項３】
前記電話交換装置は、更に、一斉通報指示を認識した場合に、通話状態のＰＨＳ端末があることを認識すると、前記記憶手段に記憶された当該一斉通報指示内容に対応する文字メッセージ情報を付加情報に格納して、当該付加情報を前記ＰＨＳ基地局から送出させて通報する通報手段を備え、
前記ＰＨＳ端末は、更に、通話状態で、前記付加情報を受信する付加情報受信手段を備え、
前記表示制御手段は、前記付加情報受信手段が受信した前記付加情報内に一斉通報に係る文字メッセージ情報が格納されている場合に、前記表示部に受信表示に表示させる、
ことを特徴とする請求項１記載の電話交換システム。
【請求項４】
ＰＨＳ端末と無線通信を行うＰＨＳ基地局を接続する電話交換装置であって、第二世代コードレス電話システム標準規格に準拠してＰＨＳ通信を可能とする電話交換装置において、
一斉通報指示内容に対応する文字メッセージ情報及びグループ情報を記憶する記憶手段と、
一斉通報指示を認識すると、前記記憶手段に記憶された当該一斉通報指示内容に対応する文字メッセージ情報及びグループ情報をＵＳＣＣＨに格納して、当該ＵＳＣＣＨを前記ＰＨＳ基地局から前記ＰＨＳ端末に送出させて一斉通報する一斉通報手段と、を備え、
前記グループ情報に属する前記ＰＨＳ端末の表示部に前記文字メッセージ情報を表示させる、
ことを特徴とする電話交換装置。
【請求項５】
ＰＨＳ基地局を接続する電話交換装置と、ＰＨＳ端末とを含み、第二世代コードレス電話システム標準規格に準拠してＰＨＳ通信を可能とする電話交換システムのメッセージ通報方法において、
前記電話交換装置は、
一斉通報指示内容に対応する文字メッセージ情報を記憶しており、
一斉通報指示を認識すると、当該一斉通報指示内容に対応する文字メッセージ情報をＵＳＣＣＨに格納して、当該ＵＳＣＣＨを前記ＰＨＳ基地局から送出させて一斉通報し、
前記ＰＨＳ端末は、
前記一斉通報を受信するモードに設定されている場合に、前記ＵＳＣＣＨを受信し、
受信した前記ＵＳＣＣＨ内に一斉通報に係る文字メッセージ情報が格納されている場合は、当該文字メッセージ情報を表示部に表示する、
ことを特徴とするメッセージ通報方法。
【発明の詳細な説明】
【技術分野】
【０００１】
本発明は、社団法人電波産業会（ＡＲＩＢ）標準「第二世代コードレス電話システム標準規格」（ＲＣＲ  ＳＴＤ−２８）の規定に従い、所謂、ＰＨＳ（Ｐｅｒｓｏｎａｌ  Ｈａｎｄｙ  Ｐｈｏｎｅ  Ｓｙｓｔｅｍ）サービス若しくはＰＨＳ機能を提供する構内電話交換機（ＰＢＸ）やボタン電話装置（キーテレホン）等の電話交換装置、この電話交換装置及びこの電話交換装置に接続されるデジタルコードレス電話機（ＰＨＳ端末）から構成される電話交換システム、並びに、メッセージ通報方法に係り、特に、複数のデジタルコードレス電話機に対して短時間に文字メッセージを通知させる電話交換装置、電話交換システム、並びに、メッセージ通報方法に関する。
【背景技術】
【０００２】
ＰＨＳの普及により、ＰＨＳを用いて災害時等の緊急時に文字メッセージを一斉通報して緊急情報を報知するメッセージ通報システムが種々提案されている。例えば、特開平７−５８６８９号公報（特許文献１）には、基地局と移動局（デジタルコードレス電話機）間の無線フレーム構成において、通常使用される第１の制御チャネルとは別に、緊急情報を報知するための第２の制御チャネルを設け、第２の制御チャネルにより緊急時（一斉通報時）に文字メッセージを一斉通報し、移動局は第２の制御チャネルで得た文字メッセージを表示して緊急情報を通報するシステムが提案されている。
【０００３】
また、特開平１０−１３９３８号公報（特許文献２）には、緊急時（一斉通報時）に子機（デジタルコードレス電話機）の呼出コードを送出し、子機からの応答を検出した後、文字メッセージを子機毎に通報して緊急情報を通報するシステムが提案されている。
【０００４】
また、特開２００１−２１８２６６号公報（特許文献３）には、災害等の緊急時に災害場所付近にいるＰＨＳ端末（デジタルコードレス電話機）に対して緊急着信メッセージ（着信メッセージであり、緊急メッセージであることを識別するための専用の着信電話番号と避難を促す情報（文字情報）が含まれている）を送信し、ＰＨＳ端末はこの緊急着信メッセージを認識して、このメッセージに含まれている文字情報を表示するシステムが提案されている。
【０００５】
また、特開２００１−２１６５９１号公報（特許文献４）には、火災報知器と連携して火災報知器が発報されると、出火エリア情報と、ＰＨＳ子機（デジタルコードレス電話機）の位置情報とにより、火災通報が必要な各ＰＨＳ子機に対して緊急メッセージ（文字メッセージ）を送信するシステムが提案されている。なお、本特許文献４には、ＰＨＳ基地局がどのような信号・手順で緊急メッセージを送信し、ＰＨＳ子機がこれをどのようにして受信しているのか明確に開示されていない。
【０００６】
また、特開２００８−１５８５９９号公報（特許文献５）には、携帯電話やＰＨＳ端末やＰＤＡ等の携帯端末に緊急警報を行うシステムが提案されており、予め携帯端末のユーザから緊急情報サービスの利用登録をさせておき、携帯端末の位置登録が行われるとこの携帯端末が緊急情報サービスを希望するユーザの端末である場合は、通知先リストに入れておく。そして、緊急情報を発する事態になった際には、その通知先リストから緊急情報を通知する携帯端末を読み取り、順次、緊急情報を通知するシステムが提案されている。なお、本特許文献５には、基地局からどのような信号・手順で緊急情報を送信し、携帯端末がこれをどのようにして受信しているのか明確に開示されていない。
【０００７】
さらに、ＡＲＩＢ標準「第二世代コードレス電話システム標準規格」（ＲＣＲ  ＳＴＤ−２８）の規定により、文字メッセージを一斉に報知するシステムも提案されている。たとえば、特開平１０−１４５５２９号公報（特許文献６）や、特開２０００−２９９８８７号公報（特許文献７）には、ＡＲＩＢ標準のＲＣＲ  ＳＴＤ−２８で規定されるＵＳＣＣＨ（Ｕｓｅｒ  Ｓｐｅｃｉｆｉｃ  Ｃｏｎｔｒｏｌ  Ｃｈａｎｎｅｌ）、即ち、オプションとして利用できる、ユーザ特有の制御チャネルによって、ＰＨＳ端末（デジタルコードレス電話機）に対して文字放送を行うシステムが開示されている。
【先行技術文献】
【特許文献】
【０００８】
【特許文献１】特開平７−５８６８９号公報
【特許文献２】特開平１０−１３９３８号公報
【特許文献３】特開２００１−２１８２６６号公報
【特許文献４】特開２００１−２１６５９１号公報
【特許文献５】特開２００８−１５８５９９号公報
【特許文献６】特開平１０−１４５５２９号公報
【特許文献７】特開２０００−２９９８８７号公報
【発明の概要】
【発明が解決しようとする課題】
【０００９】
上記従来技術は、緊急時等にＰＨＳ端末（デジタルコードレス電話機）に対して、文字メッセージである緊急メッセージや緊急情報を送信し、デジタルコードレス電話機では受信した文字メッセージをデジタルコードレス電話機の表示器に表示させるシステムとして開示しているが、ＡＲＩＢ標準「第二世代コードレス電話システム標準規格」（ＲＣＲ  ＳＴＤ−２８）の規定に準拠した手順若しくは方法にて送信しているものではなかったため、実用的なものではなかった。
【００１０】
また、ＡＲＩＢ標準のＲＣＲ  ＳＴＤ−２８で規定されるＵＳＣＣＨによって、デジタルコードレス電話機に文字メッセージを送信するシステムの提案もあるが、これは文字放送を目的とするものであるため、文字メッセージ送達の確実性が不足し、しかも受信者が文字メッセージ（緊急メッセージ）に気付かないことがあるという課題があった。
【００１１】
本願発明の目的は、ＡＲＩＢ標準「第二世代コードレス電話システム標準規格」（ＲＣＲ  ＳＴＤ−２８）の規定に準拠した手順若しくは方法によって、緊急時等に即時に文字メッセージを複数のデジタルコードレス電話機（以下、本明細書において「ＰＨＳ端末」と称する。）に通報し、ＰＨＳ端末の表示部にその文字メッセージを表示させることができる電話交換装置、電話交換システム、並びに、メッセージ通報方法を提供することにある。
【課題を解決するための手段】
【００１２】
本発明は、ＰＨＳ基地局を接続する電話交換装置と、ＰＨＳ端末とを含み、第二世代コードレス電話システム標準規格に準拠してＰＨＳ通信を可能とする電話交換システムにおいて、前記電話交換装置は、一斉通報指示内容に対応する文字メッセージ情報を記憶する記憶手段と、一斉通報指示を認識すると、前記記憶手段に記憶された当該一斉通報指示内容に対応する文字メッセージ情報をＵＳＣＣＨに格納して、当該ＵＳＣＣＨを前記ＰＨＳ基地局から送出させて一斉通報する一斉通報手段と、を備え、前記ＰＨＳ端末は、前記一斉通報を受信するモードに設定する設定手段と、前記一斉通報を受信するモードの場合、前記ＵＳＣＣＨを受信するＵＳＣＣＨ受信手段と、前記ＵＳＣＣＨ受信手段が受信した前記ＵＳＣＣＨ内に一斉通報に係る文字メッセージ情報が格納されている場合、当該文字メッセージ情報を表示部に表示させる表示制御手段と、を備え、たことを特徴とする。
【００１３】
また、本発明は、ＰＨＳ端末と無線通信を行うＰＨＳ基地局を接続する電話交換装置であって、第二世代コードレス電話システム標準規格に準拠してＰＨＳ通信を可能とする電話交換装置において、一斉通報指示内容に対応する文字メッセージ情報及びグループ情報を記憶する記憶手段と、一斉通報指示を認識すると、前記記憶手段に記憶された当該一斉通報指示内容に対応する文字メッセージ情報及びグループ情報をＵＳＣＣＨに格納して、当該ＵＳＣＣＨを前記ＰＨＳ基地局から前記ＰＨＳ端末に送出させて一斉通報する一斉通報手段と、を備え、前記グループ情報に属する前記ＰＨＳ端末の表示部に前記文字メッセージ情報を表示させる、ことを特徴とする。
【００１４】
また、本発明は、ＰＨＳ基地局を接続する電話交換装置と、ＰＨＳ端末とを含み、第二世代コードレス電話システム標準規格に準拠してＰＨＳ通信を可能とする電話交換システムのメッセージ通報方法において、前記電話交換装置は、一斉通報指示内容に対応する文字メッセージ情報を記憶しており、一斉通報指示を認識すると、当該一斉通報指示内容に対応する文字メッセージ情報をＵＳＣＣＨに格納して、当該ＵＳＣＣＨを前記ＰＨＳ基地局から送出させて一斉通報し、前記ＰＨＳ端末は、前記一斉通報を受信するモードに設定されている場合に、前記ＵＳＣＣＨを受信し、受信した前記ＵＳＣＣＨ内に一斉通報に係る文字メッセージ情報が格納されている場合は、当該文字メッセージ情報を表示部に表示する、ことを特徴とする。
【発明の効果】
【００１５】
本発明によれば、電話交換装置は、ＡＲＩＢ標準「第二世代コードレス電話システム標準規格」（ＲＣＲ  ＳＴＤ−２８）の規定に準拠した手順若しくは方法によって、緊急時等に、即時にかつ確実に文字メッセージ（通報メッセージ）を複数のＰＨＳ端末に通報し、ＰＨＳ端末にて、文字メッセージの着信表示を行うと共に、表示部に文字メッセージを表示して緊急状態を知らしめることができる。
【図面の簡単な説明】
【００１６】
【図１】本発明の電話交換システムを示すシステム構成図である。
【図２】本発明の構内電話交換機に接続されるＰＨＳ無線基地局を示すブロック構成図である。
【図３】本発明の電話交換システムに用いるＰＨＳ端末を示すブロック構成図である。
【図４】本発明の構内電話交換機に設定記憶される通報リストの説明図である。
【図５】本発明の構内電話交換機に設定記憶される通報テーブルの説明図である。
【図６】本発明のＰＨＳ端末に設定記憶される端末テーブルの説明図である。
【図７】本発明のＰＨＳ端末が有する一斉通報メッセージ受信履歴テーブルの説明図である。
【図８】本発明のＰＨＳ通信に用いるＲＣＲ  ＳＴＤ−２８に準拠したスーパーフレームの構成を示す図である。
【図９】本発明の一斉通報メッセージをＵＳＣＣＨ（２）で送信するための第１のメッセージ構成を示す図である。
【図１０】本発明の一斉通報メッセージをＵＳＣＣＨ（２）で送信するための第２のメッセージ構成を示す図である。
【図１１】本発明の一斉通報メッセージを付加情報（ＩＮＦＯ）で送信するためのメッセージ構成を示す図である。
【図１２】本発明の一斉通報メッセージを送信するための第１の動作シーケンスを示す図である。
【図１３】本発明の一斉通報メッセージを送信するための第２の動作シーケンスを示す図である。
【図１４】本発明の一斉通報メッセージを送信するための構内電話交換機の一斉通報監視フローチャート図である。
【図１５】本発明の一斉通報メッセージを送信するための構内電話交換機の一斉通報処理フローチャート図である。
【図１６】本発明の一斉通報メッセージを送信するための構内電話交換機の一斉通報処理フローチャート図である。
【図１７】本発明のＰＨＳ端末の電源ＯＮ時／ＰＨＳ基地局捕捉時フローチャート図である。
【図１８】本発明のＰＨＳ端末が通常モード時の待受け状態フローチャート図である。
【図１９】本発明のＰＨＳ端末が一斉通報受信モード時の待受け状態フローチャート図である。
【図２０】本発明のＰＨＳ端末の発信操作監視フローチャート図である。
【図２１】本発明のＰＨＳ端末の一斉通報メッセージ受信処理（１）フローチャート図である。
【図２２】本発明のＰＨＳ端末のメッセージ表示処理フローチャート図である。
【図２３】本発明のＰＨＳ端末の一斉通報メッセージ受信処理（２）フローチャート図である。
【図２４】本発明のＰＨＳ端末の表示部に表示される一斉通報メッセージ状態（１）を説明する図である。
【図２５】本発明のＰＨＳ端末の表示部に表示される一斉通報メッセージ状態（２）を説明する図である。
【発明を実施するための形態】
【００１７】
以下、本発明の実施の形態について図面を参照しつつ説明する。
【００１８】
図１は、本発明の電話交換システムを示すシステム構成図である。図１において、電話交換システムは、電話交換装置である構内電話交換機（ＰＢＸ）１と、複数台の内線電話機（ＴＥＬ）２と、複数台のデジタル多機能電話機（ＭＦＴ）３と、ＰＨＳ基地局（ＢＳ）４−１〜４−ｍと、ＰＨＳ端末（ＰＳ）５−１〜５−ｐと、外部装置６−１〜６−ｑと、メンテナンスパネル（ＭＰ）９とを含んで構成している。
【００１９】
また、構内電話交換機（ＰＢＸ）１は、電話端末（電話機やデジタル多機能電話機やＰＨＳ端末等）や回線（公衆電話網７の局線等）の回線交換を行う通話路スイッチ（ＳＷ）１１を備えており、この通話路スイッチ１１には、内線回路（ＬＩＮ）１２、デジタル内線回路（ＤＬＩＮ）１３、コードレス電話トランク（ＤＲＩＦ）１４−１〜１４−ｍ、局線トランク（ＣＯＴ）１５、及び外部入出力装置１６が接続収容されている。
【００２０】
ここで、内線回路１２は、複数台の内線電話機（ＴＥＬ）２を接続し、これらを制御（発信／着信制御等）して、構内電話交換機１とのインターフェースを行うものであり、デジタル内線回路１３は、複数台のデジタル多機能電話機（ＭＦＴ）３を接続し、これらを制御（発信／着信制御等）して、構内電話交換機１とのインターフェースを行うものであり、コードレス電話トランク（ＤＲＩＦ）１４−１〜１４−ｍは、ＰＨＳ基地局（ＢＳ）４−１〜４−ｍをそれぞれ接続し、これを制御（発信／着信／メッセージ送信制御等）して、構内電話交換機１とのインターフェースを行うものである。なお、コードレス電話トランク（ＤＲＩＦ）１４−１〜１４−ｍとＰＨＳ基地局（ＢＳ）４−１〜４−ｍとの間は、ＩＳＤＮ基本インタフェースで接続されている。
【００２１】
また、局線トランク１５は、公衆電話網７からの局線回線を接続し、これを制御（発信／着信制御等）して、構内電話交換機１とのインターフェースを行うものであり、外部装置入出力部１６は、通報ボタン、ナースコール装置、火災報知器、地震通報装置等の外部装置６−１〜６−ｑを接続するものであって、これら外部装置から操作信号や報知信号を構内電話交換機１の後述する制御装置１７に伝えるインターフェースを行うものである。
【００２２】
また、構内電話交換機１は制御装置１７を備えており、この中央制御装置１７は、構内電話交換機１の全体を統制・制御して呼接続制御を行い、構内電話交換機１が提供する機能（電話接続サービスや一斉通報サービス）を実現させている。制御バス２０を介して、制御装置１７には、記憶装置１８が接続されている。記憶装置１８には、制御装置１７が呼接続制御等の動作や一斉通報サービスを行うためのプログラムや、システム設定条件，動作条件，機能条件，動作状態等の局データ（各種テーブル）を格納しているものである。更に、制御バス２０には、構内電話交換機１の動作に必要な前記局データを設定するために用いられる端末装置であるメンテナンスパネル装置（ＭＰ）９を接続する入出力装置１９が接続されている。そして、構内電話交換機１の使用にあたって、使用条件等に応じてデータ端末９から記憶装置１８に対して局データを設定できるようにしている。
【００２３】
さらに、構内電話交換機１は、ＰＨＳサービスを提供する機能を有しており、複数台のＰＨＳ端末（ＰＳ）５−１〜５−ｐを内線電話機として利用できるように収容している。そして、このＰＨＳサービスは、ＡＲＩＢ標準「第二世代コードレス電話システム標準規格」（ＲＣＲ  ＳＴＤ−２８）の規定に準拠した手順若しくは方法によって行われるものである。従って、呼設定、通話、その他の電話交換動作に関する、ＰＨＳ基地局４−１〜４−ｍと、ＰＨＳ端末（ＰＳ）５−１〜５−ｐとの間の無線通信は、ＡＲＩＢ標準  ＲＣＲ  ＳＴＤ−２８の規定に準拠して行われるものである。
【００２４】
図２は、本発明の構内電話交換機に接続されるＰＨＳ無線基地局を示すブロック構成図である。図２において、ＰＨＳ無線基地局４−１〜４−ｍは、スイッチ（ＳＷ）部４Ａ、受信部４Ｂ、復調部４Ｃ、送信部４Ｄ、変調部４Ｅ、ＴＤＭＡ処理部４Ｆ、回線インタフェース部４Ｇ、制御部４Ｈ、記憶部４Ｊ、及びアンテナ４Ｋを備えている。そして記憶部４Ｊは、ＲＯＭ４Ｊ−１、フラッシュＲＯＭ（Ｆ−ＲＯＭ）４Ｊ−２、ＲＡＭ４Ｊ−３から構成されている。
【００２５】
１本のアンテナ４Ｋはスイッチ部４Ａにて送受信を切り換えて使用されているものである。受信部４Ｂを経て、復調部４Ｃより復調された受信信号はＴＤＭＡ処理部４Ｆより連続する受信データとして回線インタフェース４Ｇを経て、構内電話交換機１のコードレス電話トランク１４−１〜１４−ｍを介して、通話路スイッチ１１や制御装置１７に送信される。また、これとは逆に構内電話交換機１の通話路スイッチ１１や制御装置１７からの連続する送信信号は回線インタフェース４Ｇを介してＴＤＭＡ処理部４Ｆに送られる。ＴＤＭＡ処理部４Ｆでは、連続する送信データをバースト状のデータに変換し、変調部４Ｅにて変調し、送信部４Ｄを経てＰＨＳ端末５−１〜５−ｐに対して送信される。
【００２６】
また、ＴＤＭＡ処理部４Ｆと回線インタフェース４Ｇは制御部４Ｈによって制御されるものであり、さらに、この制御部４Ｈには、ＲＯＭ４Ｊ−１、Ｆ−ＲＯＭ４Ｊ−２、ＲＡＭ４Ｊ−３を備えた記憶部４Ｊが接続されている。そして、ＡＲＩＢ標準  ＲＣＲ  ＳＴＤ−２８の規定に従うＰＨＳサービスを実現する動作プログラムはＲＯＭ４Ｊ−１に、ＰＨＳ端末５−１〜５−ｐとのＰＨＳ通信条件等の情報はＦ−ＲＯＭ４Ｊ−２に、ＰＨＳ端末５−１〜５−ｐとの通信状態等を一時的に記憶する情報はＲＡＭ４Ｊ−３にそれぞれ格納されるように構成されている。
【００２７】
図３は、本発明の電話交換システムに用いるＰＨＳ端末を示すブロック構成図である。図３において、ＰＨＳ端末５−１〜５−ｐは、スピーカ５Ａ、マイク５Ｂ、音声処理部５Ｃ、コーデック５Ｄ、ＴＤＭＡ処理部５Ｅ、復調部５Ｆ、変調部５Ｇ、受信部５Ｈ、送信部５Ｊ、スイッチ部（ＳＷ）５５Ｋ、制御部５Ｌ、表示部５Ｍ、ランプ部５Ｎ、操作部５Ｐ、外部インタフェース部５Ｑ、記憶部５Ｒ、及びアンテナ５Ｓを備えている。そして記憶部５Ｒは、ＲＯＭ５Ｒ−１、フラッシュＲＯＭ（Ｆ−ＲＯＭ）５Ｒ−２、ＲＡＭ５Ｒ−３から構成されている。
【００２８】
マイク５Ａから入力される音声データは音声処理部５Ｃを経て、コーデーク５Ｄにて符号化される。ＴＤＭＡ処理部５ＥからＰＨＳ基地局４−１〜４−ｍへ送信されるまでの動作と、受信した受信信号がＴＤＭＡ処理部５Ｅに送られるまでの動作は図２に示すＰＨＳ基地局の動作と同様である。ＴＤＭＡ処理部５Ｅにより連続するデータとなった受信信号は、コーデック５Ｄにより復号化され、音声処理部５Ｃを経て、スピーカ５Ｂより送信される。
【００２９】
また、音声処理部５Ｃ、ＴＤＭＡ処理部５Ｅ、表示部５Ｍ、ランプ部５Ｎ、操作部５Ｐ、外部インタフェース部８６、及び記憶部５Ｒには制御部５Ｌが接続されている。そして、ＡＲＩＢ標準  ＲＣＲ  ＳＴＤ−２８の規定に従うＰＨＳサービスを実現する動作プログラムはＲＯＭ５Ｒ−１に、ＰＨＳ端末自身の動作条件や、各種通信履歴や、ＰＨＳ基地局４−１〜４−ｍとのＰＨＳ通信条件等の情報はＦ−ＲＯＭ５Ｒ−２に、ＰＨＳ基地局４−１〜４−ｍとの通信状態等を一時的に記憶する情報はＲＡＭ５Ｒ−３にそれぞれ格納されるように構成されている。
【００３０】
また、ＰＨＳ端末５−１〜５−ｐはバイブレータ（図示せず）を備えており、条件設定により音声着信やメッセージ受信時にＰＨＳ端末を振動させることができるようになっており、さらに、ＰＨＳ端末５−１〜５−ｐは、充電可能なバッテリー（図示せず）にて作動するものである。
【００３１】
図４は、本発明の構内電話交換機の記憶装置に設定記憶される通報リストの説明図である。なお、この通報リストは、メンテナンスパネル装置（ＭＰ）９を操作することで設定されるものであり、この設定内容が記憶装置１８に設定されるようになっている。
【００３２】
図４において、通報リストＤ１は、一斉通報グループ番号Ｄ１ａ、呼出先ＰＳ電話情報Ｄ１ｂ、及び呼出先ＰＳ状態Ｄ１ｃの領域から構成されている。一斉通報グループ番号Ｄ１ａは、複数のＰＨＳ端末５−１〜５−ｐをグループ分けした際に用いられる管理番号であって、緊急事態が発生した場合等、その緊急事態の内容（一斉通報種別）に応じて、一斉に通報すべきＰＨＳ端末５−１〜５−ｐのグループを特定するために用いるものである。そして、呼出先ＰＳ電話情報Ｄ１ｂは、一斉通報グループ番号Ｄ１ａ毎に属するＰＨＳ端末５−１〜５−ｐの電話情報（例えば、内線番号や、ＰＳ−ＩＤ等）を格納するものである。図４においては、一斉通号グループ番号０１に「ＰＳ１」〜「ＰＳ１０」が属しており、一斉通号グループ番号０２に「ＰＳ１１」〜「ＰＳ１５」が属しており、一斉通号グループ番号３２に「ＰＳ６０」〜「ＰＳ９９」が属しているというような一例が記載されている。
【００３３】
さらに、呼出先ＰＳ状態Ｄ１ｃは、通報リストＤ１に登録されている各ＰＨＳ端末５−１〜５−ｐの状態を記憶するものである。すなわち、構内電話交換機１の制御装置１７は、各ＰＨＳ端末５−１〜５−ｐの状態が、空き状態（待受け状態）か、通話中状態か、若しくは発信中状態か、着信中状態か等の、どの状態にあるのかを刻々と情報更新し、管理するように構成してある。
【００３４】
図５は、本発明の構内電話交換機の記憶装置に設定記憶される通報テーブルの説明図である。この通報テーブルは、メンテナンスパネル装置（ＭＰ）９を操作することで設定されるものであり、この設定内容が記憶装置１８に設定されるようになっている。
【００３５】
図５において、通報テーブルＤ２は、一斉通報種別Ｄ２ａ、対象一斉通報グループ番号Ｄ２ｂ、及び通報内容（文字メッセージ）Ｄ２ｃの領域から構成されている。一斉通報種別Ｄ２ａは、緊急事態の発生等において一斉通報する必要になったことを示す指示情報（一斉通報のトリガー情報）であって、例えば、内線電話機（ＴＥＬ）２から特番（一斉通報を行うための特番）と所定番号を受信した場合や、デジタル多機能電話機（ＭＦＴ）３の特定の機能ボタンが操作された場合や、ナースコール装置、火災報知器、及び地震通報装置等から一斉通報指示を受けた場合等のユーザーが予め指定（設定）した条件によって一斉通報が行われる。
【００３６】
また、対象一斉通報グループ番号Ｄ２ｂは、一斉通報種別Ｄ２ａ毎に設定されるものであり、一斉通報種別Ｄ２ａの状態になりＰＨＳ端末５−１〜５−ｐに一斉通報する際に、どの一斉通報グループ番号に属するＰＨＳ端末５−１〜５−ｐに一斉通報するのかを予め設定可能にするものである。なお、この対象一斉通報グループ番号Ｄ２ｂには、ＰＨＳ端末５−１〜５−ｐの全てを一斉通報先として設定することもできる。これは、例えば一斉通報グループ番号を「００」と設定したとき、全てのＰＨＳ端末５−１〜５−ｐに対する一斉通報であるように定義して行えば良い。
【００３７】
さらに、通報内容（文字メッセージ）Ｄ２ｃは、一斉通報種別Ｄ２ａの状態になり、指定された一斉通報グループに属するＰＨＳ端末５−１〜５−ｐに対して一斉通報する際に送信する文字メッセージを指定するものであり、この通報内容（文字メッセージ）Ｄ２ｃは一斉通報種別Ｄ２ａ毎に個々に設定できるように構成されている。すなわち、一斉通報種別Ｄ２ａ毎に、対象一斉通報グループ番号Ｄ２ｂ及び通報内容（文字メッセージ）Ｄ２ｃが対応付けされて予め設定登録されている。
【００３８】
図６は、本発明のＰＨＳ端末の記憶部に設定記憶される端末テーブルの説明図である。図６において、この端末テーブルＤ３は、ＰＨＳ端末５−１〜５−ｐのそれぞれが保有しており、ＰＳ設定項目Ｄ３ａに対して、動作条件Ｄ３ｂが設定されるものである。
【００３９】
ＰＳ設定項目Ｄ３ａとしては、本発明特有の設定項目として、一斉通報受信有無６０、一斉通報グループ番号６１、一斉通報パスワード６２、一斉通報時鳴動音６３、一斉通報時バイブレータ６４、及び一斉通報時着信色６５を有している。一斉通報受信有無６０は、ＰＨＳ端末が一斉通報を受信するモードで動作するか否かを設定する項目であり、「有り」と設定されていれば、一斉通報を受信モードで動作し、「無し」と設定されていれば、通常モードで動作するため、一斉通報の受信は行わない。従って、一斉通報受信有無６０が「有り」と設定されている場合のみ、一斉通報グループ番号６１、一斉通報パスワード６２、一斉通報時鳴動音６３、一斉通報時バイブレータ６４、及び一斉通報時着信色６５に設定された条件が有効なものになる。
【００４０】
また、一斉通報グループ番号は、ＰＨＳ端末自身がどの一斉通報グループに属しているのかを設定する項目である。この動作条件に設定がない場合は、どの一斉通報グループにも属さないとされ、全ＰＨＳ端末への一斉通報のみ受信することになる。また、一台のＰＨＳ端末が複数の一斉通報グループに属することも可能である。一斉通報パスワード６２は、一斉通報専用のパスワードである。このパスワードは、一斉通報の受信履歴を削除するとき等に使用されるものであり、ＰＨＳ端末が一般に使用している通常のパスワードとは異なり、一斉通報用として独立して使用される。
【００４１】
また、一斉通報時鳴動音６３は、一斉通報を受信したときに鳴動される着信音を指定する項目であり、一斉通報時バイブレータ６４は、一斉通報を受信したときにバイブレータの振動をどのパターンで行うかを指定する項目であり、さらに、一斉通報時着信色６５は、一斉通報を受信したときに表示器への何色で着信表示を行うかを指定する項目である。
【００４２】
なお、この端末テーブルＤ３は、ＰＨＳ端末５−１〜５−ｐをメンテナンスモードに移行させて、ＰＨＳ端末の操作部５Ｐを操作し、表示部５Ｍと連携して、記憶部５ＲのＦ−ＲＯＭ５Ｒ−２に設定記憶されるものである。さらに、図６に示す端末テーブルＤ３は、一斉通報に係るＰＳ設定項目のみ記載してある。すなわち、その他、従来から用いられている設定項目も同様に存在していることは自明であるので、説明を省略する。
【００４３】
図７は、本発明のＰＨＳ端末の記憶部が有する一斉通報メッセージ受信履歴テーブルの説明図である。図７において、一斉通報メッセージ受信履歴テーブルＤ４は、受信日時Ｄ４ａ、通報（受信）文字メッセージＤ４ｂ、及び未読／既読フラグＤ４ｃの領域から構成されている。また、受信日時Ｄ４ａ、通報（受信）文字メッセージＤ４ｂ、及び未読／既読フラグＤ４ｃは受信文字メッセージ毎に対応付けされているものであり、受信日時Ｄ４ａには、ＰＨＳ端末５−１〜５−ｐが一斉通報メッセージを受信した日時が格納され、通報（受信）文字メッセージＤ４ｂには、受信した一斉通報メッセージに含まれている通報文字メッセージが格納される。また、未読／既読フラグＤ４ｃは、通報文字メッセージが未読状態か既読状態かを示すフラグである。ＰＨＳ端末５−１〜５−ｐは、使用者が通報文字メッセージを読んだ状態の場合には未読／既読フラグＤ４ｃを「既読」とし、使用者が通報文字メッセージを読んでない状態の場合には、未読／既読フラグＤ４ｃを「未読」とする。
【００４４】
なお、この一斉通報メッセージ受信履歴テーブルＤ４は、記憶部５ＲのＦ−ＲＯＭ５Ｒ−２又はＲＡＭ５Ｒ−３に存在するものである。また、ＰＳＨ端末はメールやショートメッセージの送受信機能を備えており、メールやショートメッセージの受信履歴を格納する受信メールテーブルを備えているが、図７に示す一斉通報メッセージ受信履歴テーブルＤ４は、そのような受信メールテーブルとは独立して設けられているものである。
【００４５】
すなわち、この一斉通報メッセージ受信履歴テーブルＤ４は、本発明の一斉通報に係る通報文字メッセージ格納専用に用いられるものであり、一斉通報メッセージ受信履歴テーブルＤ４に格納された通報文字メッセージを削除するためには、図６に示した一斉通報パスワード６２の入力が必要となる。これは、一斉通報は緊急事態の際に行われるもので、その受信履歴は重要なものであるためであり、ＰＨＳ端末５−１〜５−ｐは、ユーザーが容易に若しくは誤って通報文字メッセージを削除できないように構成されている。
【００４６】
図８は、本発明のＰＨＳ通信に用いるＲＣＲ  ＳＴＤ−２８に準拠したスーパーフレームの構成を示す図である。図８において、スーパーフレームの構成は、ＡＲＩＢ標準  ＲＣＲ  ＳＴＤ−２８に準拠して構成されており、ＰＨＳ基地局４−１〜４ｍからＰＨＳ端末５−１〜５−ｐへ送信される方向の無線通信チャネルは、図８に示すデータフレームによって伝送されている。そして、図８に示す通常時と一斉通報通知時の２つのスーパーフレームのいずれか一方を用いることができるように構成している。
【００４７】
ＰＨＳシステムのＰＨＳ基地局とＰＨＳ端末間における無線区間のデータ伝送方式は、ＴＤＭＡ−ＴＤＤ（Ｔｉｍｅ  Ｄｉｖｉｓｉｏｎ  Ｍｕｌｔｉ  Ａｃｃｅｓｓ−Ｔｉｍｅ  Ｄｉｖｉｓｉｏｎ  Ｄｕｐｌｅｘ）方式が採用されている。このＴＤＭＡ−ＴＤＤ方式は、所定の時間長を有するデータフレームを伝送データの一単位として、論理制御チャネル（Ｌｏｇｉｃａｌ  Ｃｏｎｔｒｏｌ  Ｃｈａｎｎｅｌ（ＬＣＣＨ））スーパーフレーム（以下、「スーパーフレーム」と称する。）を構成する。そして、このスーパーフレームを所定周期（例えば１．２秒周期）でサイクリックに（繰り返し・繰り返し）伝送することにより各種制御データの伝送を行う。また、このスーパーフレームは複数のタイムスロットに分割されており、各々のタイムスロット毎に異なる種類の制御データが所定のビットパターンに変換され重畳される。
【００４８】
図８に示すように、本実施の形態では、一斉通報サービス（機能）を提供しないときに用いる通常時のスーパーフレーム（ａ）と、一斉通報サービス（機能）を提供するときに用いる一斉通用通知時のスーパーフレーム（ｂ）を使用する。
【００４９】
図８において、通常時のスーパーフレーム（ａ）は、ＰＨＳ基地局からＰＨＳ端末に制御情報を報知するチャネルであって、チャネル構造に関する情報や、システム情報等を転送する報知チャネル（Ｂｒｏａｄｃａｓｔ  Ｃｏｎｔｒｏｌ  Ｃｈａｎｎｅｌ）（以下、「ＢＣＣＨ（Ａ）」と称する。）、ＰＨＳ基地局とＰＨＳ端末の間で呼接続に必要な情報を転送するチャネルであって、セル毎に独立の情報を転送する個別セル用チャネル（Ｓｉｎａｌｉｎｇ  Ｃｏｎｔｒｏｌ  Ｃｈａｎｎｅｌ）（以下、「ＳＣＣＨ」と称する。）、及び、ＰＨＳ基地局からＰＨＳ端末に対して、単一セルあるいは複数のセルの広いエリア（一斉呼出エリア）に同一の情報を一斉に転送するポイント−マルチポイントの一斉呼出チャネル（Ｐａｇｉｎｇ  Ｃｈａｎｎｅｌ）（以下、「ＰＣＨ」と称する。）から構成されている。
【００５０】
本実施の形態では、ＳＣＣＨが５つ、ＰＣＨが２つ（ＰＣＨ１及びＰＣＨ２）があり、図８の（ａ）に示すように、「ＢＣＣＨ（Ａ）」８ａ１、「ＳＣＣＨ」８ａ２、「ＳＣＣＨ」８ａ３、「ＰＣＨ１」８ａ４、「ＳＣＣＨ」８ａ５、「ＳＣＣＨ」８ａ６、「ＳＣＣＨ」８ａ７、「ＰＣＨ２」８ａ８で構成されている。
【００５１】
また、一斉通報通知時のスーパーフレーム（ｂ）は、上記に加えて、制御用物理スロット上に定義可能なＵＰＣＨ（ポイント−マルチポイントのチャネルであって、制御信号情報及びユーザパケットデータ転送を行うユーザパケットチャネル）であるユーザ特有制御チャネル（Ｕｓｅｒ  Ｓｐｅｃｉｆｉｃ  Ｃｏｎｔｒｏｌ  Ｃｈａｎｎｅｌ）（以下、「ＵＳＣＨ」と称する。）を用いている。このＵＳＣＣＨは、規定項目を満足していればその使用方法は任意なオプションとなり、ユーザ独自で任意の制御チャネルとして使用できるものである。なお、ＵＳＣＣＨは、ＵＳＣＣＨ（１）とＵＳＣＣＨ（２）が規定されているが、本実施の形態では、ＵＳＣＣＨ（２）を使用する構成としている。
【００５２】
そして、本実施の形態では、ＳＣＣＨが３つ、ＵＳＣＣＨ（２）が２つ、ＰＣＨが２つ（ＰＣＨ１及びＰＣＨ２）があり、図８の（ｂ）に示すように、「ＢＣＣＨ（Ａ）」８ｂ１、「ＵＳＣＣＨ（２）」８ｂ２、「ＳＣＣＨ」８ｂ３、「ＰＣＨ１」８ｂ４、「ＳＣＣＨ」８ｂ５、「ＵＳＣＣＨ（２）」８ｂ６、「ＳＣＣＨ」８ｂ７、「ＰＣＨ２」８ｂ８で構成されている。
【００５３】
なお、図８に示すスーパーフレームの内、通常時のスーパーフレーム（ａ）と一斉通報通知時のスーパーフレーム（ｂ）とのどちらで動作させるかは、構内電話交換機１の記憶装置１８に局データとして設定して指定するものである。以下、本実施の形態では、局データが一斉通報通知時のスーパーフレーム（ｂ）で動作させるように設定されているものとする。
【００５４】
図９は、本発明の一斉通報メッセージをＵＳＣＣＨ（２）で送信するための第１のメッセージ構成を示す図である。また、図１０は、本発明の一斉通報メッセージをＵＳＣＣＨ（２）で送信するための第２のメッセージ構成を示す図である。本実施の形態では、ＵＳＣＣＨ（２）によって、第１のメッセージ（第１フレームで送信されるメッセージ）と第２のメッセージ（第２フレームで送信されるメッセージ）の２つのメッセージを送信することで、一つの通報文字メッセージを送信して、９バイトの文字データを送付できるように構成している。
【００５５】
ここで、第１のメッセージとは、第１フレームで送信されるメッセージと定義し、同様に、第２のメッセージとは、第２フレームで送信されるメッセージと定義し、以降、これらの定義に従って表現する。
【００５６】
図９において、ＵＳＣＣＨ（２）で送信するための第１のメッセージＭ１は、ＵＳＣＣＨ（２）にて伝送可能な６２ビットのデータとなっており、その内容は、情報要素識別子Ｍ１ａ、着信状態Ｍ１ｂ、フレーム番号Ｍ１ｃ、着信グループ（一斉通報グループ）Ｍ１ｄ、番号デジット（キャラクタ「１」）Ｍ１ｅ、番号デジット（キャラクタ「２」）Ｍ１ｆ、番号デジット（キャラクタ「３」）Ｍ１ｇ、番号デジット（キャラクタ「４」）Ｍ１ｈ、番号デジット（キャラクタ「５」）Ｍ１ｉ、状態変化Ｍ１ｊ、及び報知受信指示Ｍ１ｋから構成されている。
【００５７】
そして、情報要素識別子Ｍ１ａには、このメッセージで報知される情報が一斉通報メッセージ報知であることを示す識別情報が格納され、着信状態Ｍ１ｂには、一斉通報メッセージの着信動作中（すなわち、一斉通報メッセージ有り）にあるか、又は一斉通報メッセージが停止状態（すなわち、一斉通報メッセージ無し）にあるかを示す情報が格納され、フレーム番号Ｍ１ｃには、送信しているメッセージが、第１のメッセージであるか、又は第２のメッセージであるかを示す情報が格納され（この第１のメッセージの場合はフレーム番号Ｍ１ｃに「０：第１フレームを示す情報」が格納される）、着信グループ（一斉通報グループ番号）Ｍ１ｄには、一斉通報メッセージの通報先を示す一斉通報グループ番号（００〜３１）が格納される。
【００５８】
また、番号デジット（キャラクタ「１」）Ｍ１ｅには、一斉通報メッセージのキャラクタ「１」の文字コードが、番号デジット（キャラクタ「２」）Ｍ１ｆには、一斉通報メッセージのキャラクタ「２」の文字コードが、番号デジット（キャラクタ「３」）Ｍ１ｇには、一斉通報メッセージのキャラクタ「３」の文字コードが、番号デジット（キャラクタ「４」）Ｍ１ｈには、一斉通報メッセージのキャラクタ「４」の文字コードが、番号デジット（キャラクタ「５」）Ｍ１ｉには、一斉通報メッセージのキャラクタ「５」の半分の文字コードがそれぞれ格納される。さらに、状態変化Ｍ１ｊは、本メッセージ情報に変更がある度にインクリメントされるモジュロの２進数が格納され、また、報知受信指示Ｍ１ｋには、受信指示を示す情報が格納される。
【００５９】
次に、図１０において、ＵＳＣＣＨ（２）で送信するための第２のメッセージＭ２は、同様に、ＵＳＣＣＨ（２）にて伝送可能な６２ビットのデータとなっており、その内容は、情報要素識別子Ｍ２ａ、メッセージ番号Ｍ２ｂ、フレーム番号Ｍ２ｃ、着信グループ（一斉通報グループ番号）Ｍ２ｄ、番号デジット（キャラクタ「５」）Ｍ２ｅ、番号デジット（キャラクタ「６」）Ｍ２ｆ、番号デジット（キャラクタ「７」）Ｍ２ｇ、番号デジット（キャラクタ「８」）Ｍ２ｈ、番号デジット（キャラクタ「９」）Ｍ２ｈ、状態変化Ｍ２ｊ、及び報知受信指示Ｍ２ｋから構成されている。
【００６０】
そして、情報要素識別子Ｍ２ａには、このメッセージで報知される情報が一斉通報メッセージ報知であることを示す識別情報が格納され、メッセージ番号Ｍ２ｂには、メッセージが変わる度に１ずつインクリメントされて、新たなメッセージの発生から停止まで同じ値が入るようにして、待受け〜通話、又は通話〜待受けの過程で同じメッセージを２回表示されないようにするものである。従って、後述する通話中の際に使用される付加情報（ＩＮＦＯ）に格納されるメッセージ番号と同期している。
【００６１】
また、フレーム番号Ｍ２ｃには、送信しているメッセージが、第１のメッセージであるか、又は第２のメッセージであるかを示す情報が格納され（この第２のメッセージの場合はフレーム番号Ｍ２ｃに「１：第２フレームを示す情報」が格納される）、着信グループ（一斉通報グループ）Ｍ２ｄには、一斉通報メッセージの通報先を示す一斉通報グループ番号（００〜３１）が格納される。
【００６２】
また、番号デジット（キャラクタ「５」）Ｍ２ｅには、一斉通報メッセージのキャラクタ「５」の残りの半分の文字コードが、番号デジット（キャラクタ「６」）Ｍ２ｆには、一斉通報メッセージのキャラクタ「６」の文字コードが、番号デジット（キャラクタ「７」）Ｍ２ｇには、一斉通報メッセージのキャラクタ「７」の文字コードが、番号デジット（キャラクタ「８」）Ｍ２ｈには、一斉通報メッセージのキャラクタ「８」の文字コードが、番号デジット（キャラクタ「９」）Ｍ２ｉには、一斉通報メッセージのキャラクタ「９」の文字コードがそれぞれ格納される。さらに、状態変化Ｍ２ｊは、本メッセージ情報に変更がある度にインクリメントされるモジュロの２進数が格納され、また、報知受信指示Ｍ２ｋには、受信指示を示す情報が格納される。
【００６３】
図１１は、本発明の一斉通報メッセージを付加情報（ＩＮＦＯ）で送信するためのメッセージ構成を示す図である。
【００６４】
図１１において、付加情報（ＩＮＦＯ）で送信するための第３のメッセージＭ３は、付加情報（ＩＮＦＯ）であることを示す情報群Ｍ３ａ、固定情報要素識別子とコード群識別子Ｍ３ｂ、情報要素識別子Ｍ３ｃ、要求機能内容長Ｍ３ｄ、メッセージ番号３Ｍｆ、着信グループ（一斉通報グループ）Ｍ２ｇ、番号デジット（キャラクタ「１」）Ｍ３ｈ、番号デジット（キャラクタ「２」）Ｍ３ｉ、番号デジット（キャラクタ「３」）Ｍ３ｊ、番号デジット（キャラクタ「４」）Ｍ３ｋ、番号デジット（キャラクタ「５」）Ｍ３ｌ、番号デジット（キャラクタ「６」）Ｍ３ｍ、番号デジット（キャラクタ「７」）Ｍ３ｎ、番号デジット（キャラクタ「８」）Ｍ３ｏ、及び番号デジット（キャラクタ「９」）Ｍ３ｐから構成されている。なお、符号Ｍ３ｅに示す情報群は、本発明に直接関連しないため、その説明を省略する。
【００６５】
この構成において、付加情報（ＩＮＦＯ）であることを示す情報群Ｍ３ａは、ＡＲＩＢ標準ＲＣＲ−ＳＴＤ２８で付加情報（ＩＮＦＯ）示す情報として規定された情報であり、固定情報要素識別子とコード群識別子Ｍ３ｂは、情報要素識別子を「固定シフト」と、また、コード群識別子を「ユーザ特有情報要素」と設定されるものであり、以降の情報（符号Ｍ３ｃ〜Ｍ３ｐ）がユーザ特有の情報であることを示すものである。
【００６６】
そして、情報要素識別子Ｍ３ｃには、このメッセージで報知される情報が一斉通報メッセージ報知であることを示す識別情報が格納され、要求機能内容長Ｍ３ｄには、以降の情報（符号Ｍ３ｅ〜Ｍ３ｐの情報）の内容長の情報が格納され、さらに、メッセージ番号Ｍ３ｆには、メッセージが変わる度に１ずつインクリメントされて、新たなメッセージの発生から停止まで同じ値が入るようにして、待受け〜通話、又は通話〜待受けの過程で同じメッセージを２回表示されないようにするものである。従って、前述したＵＳＣＣＨ（２）に格納されるメッセージ番号と同期している。また、着信グループ（一斉通報グループ）Ｍ３ｇには、一斉通報メッセージの通報先を示す一斉通報グループ番号（００〜３１）が格納される。
【００６７】
また、番号デジット（キャラクタ「１」）Ｍ３ｈから番号デジット（キャラクタ「９」）Ｍ３ｐには、一斉通報メッセージのキャラクタ「１」の文字コードからキャラクタ「９」の文字コードがそれぞれ格納される。
【００６８】
以上のように、本発明では、ＰＨＳ基地局からＰＨＳ端末へ一斉通報メッセージ（文字メッセージ）を送信する際には、ＡＲＩＢ標準  ＲＣＲ  ＳＴＤ−２８で規定されたチャネルやメッセージであって、その規定によりユーザがオプションとして独自に使用できるチャネルやメッセージを適用して送信するようにしている。従って、通常の（汎用の）ＰＨＳ端末に何ら影響を与えることがなく、単なる通話のみに使用するのであれば、汎用のＰＨＳ端末を本システムに使用することができるようにしている。
【００６９】
以下、本発明の動作について説明する。
【００７０】
図１２は、本発明の一斉通報メッセージを送信するための第１の動作シーケンスを示す図である。この図１２は、ＵＳＣＣＨ（２）によって、空き状態（待受け状態）にあるＰＨＳ端末５−１〜５−ｐに一斉に通報メッセージを送信する動作シーケンスである。
【００７１】
図１２において、構内電話交換機１が、通報指示を認識して通報処理を開始する（Ｓ１２Ａ）。すなわち、構内電話交換機１は、図５に示す通報テーブルＤ２に設定された一斉通報種別に一致する操作を認識して、対応する対象一斉通報グループ番号Ｄ２ｂや通報内容（文字メッセージ）Ｄ２ｃを抽出する。そして、通報メッセージの送出タイミングになると第１回目の第１フレームにて図９に示す第１のメッセージＭ１をＰＨＳ端末５−１〜５−ｐに送信するように全てのＰＨＳ基地局４−１〜４−ｍへ指示を行う（Ｓ１２Ｂ）。
【００７２】
すると、各ＰＨＳ基地局４−１〜４−ｍは、ＵＳＣＣＨ（２）によって、指示を受けたとおりの第１のメッセージＭ１（第１フレーム）を送出する（Ｓ１２Ｃ）。さらに、各ＰＨＳ基地局４−１〜４−ｍは、次のＵＳＣＣＨ（２）送出タイミングにて、指示を受けたとおりの第１のメッセージＭ１（第１フレーム）を再度送出する（Ｓ１２Ｄ）。すなわち、各ＰＨＳ基地局４−１〜４−ｍがステップＳ１２Ｃで送信するＵＳＣＣＨ（２）は、図８のスーパーフレームの内、符号８ｂ２に示すＵＳＣＣＨ（２）の送出タイミングで送出されるものであり、ステップＳ１２Ｄで再度送信するＵＳＣＣＨ（２）は、図８のスーパーフレームの内、符号８ｂ６に示すＵＳＣＣＨ（２）の送出タイミングで送出されるものであり、同じ内容のＵＳＣＣＨ（２）を２度送出している。
【００７３】
一方、ＵＳＣＣＨ（２）を受信したＰＨＳ端末５−１〜５−ｐは、受信したＵＳＣＣＨ（２）にて送信された第１のメッセージＭ１が受信対象のメッセージであれば、これを一時的に格納しておく。
【００７４】
次に、構内電話交換機１は、所定時間（スーパーフレーム送出周期、例えば１．２秒）を経過して、次の通報メッセージの送出タイミングになると第１回目の第２フレームにて図１０に示す第２のメッセージＭ２をＰＨＳ端末５−１〜５−ｐに送信するように全てのＰＨＳ基地局４−１〜４−ｍへ指示を行う（Ｓ１２Ｅ）。
【００７５】
すると、各ＰＨＳ基地局４−１〜４−ｍは、ＵＳＣＣＨ（２）によって、指示を受けたとおりの第２のメッセージＭ２（第２フレーム）を送出する（Ｓ１２Ｆ）。さらに、各ＰＨＳ基地局４−１〜４−ｍは、次のＵＳＣＣＨ（２）送出タイミングにて、指示を受けたとおりの第２のメッセージＭ２（第２フレーム）を再度送出する（Ｓ１２Ｇ）。
【００７６】
一方、ＵＳＣＣＨ（２）を受信したＰＨＳ端末５−１〜５−ｐは、受信したＵＳＣＣＨ（２）にて送信された第２のメッセージＭ２が受信対象のメッセージであり、かつ、先にＵＳＣＣＨ（２）にて第１のメッセージＭ１を受信していれば、第１のメッセージＭ１と第２のメッセージＭ２により、一斉通報された文字メッセージを作成して、これを表示部５Ｍに表示し、かつ、着信鳴動等を行う着信表示を行うと共に、この一斉通報メッセージを図７に示す一斉通報メッセージ受信履歴テーブルＤ４へ格納する。なお、この着信表示は特に操作がない場合、所定時間（例えば、２０秒）継続した後、自動的に停止する。
【００７７】
次に、構内電話交換機１は、所定時間（２回のスーパーフレーム送出周期、例えば２．４秒）を経過して、次の通報メッセージの送出タイミングになると第２回目の第１フレームにて図９に示す第１のメッセージＭ１をＰＨＳ端末５−１〜５−ｐに送信するように全てのＰＨＳ基地局４−１〜４−ｍへ指示を行う（Ｓ１２Ｈ）。すなわち、構内電話交換機１は、所定時間経過後、同じ一斉通報メッセージを再度送信する処理を行う。
【００７８】
すると、各ＰＨＳ基地局４−１〜４−ｍは、ＵＳＣＣＨ（２）によって、指示を受けたとおりの第１のメッセージＭ１（第１フレーム）を送出する（Ｓ１２Ｉ）。さらに、各ＰＨＳ基地局４−１〜４−ｍは、次のＵＳＣＣＨ（２）送出タイミングにて、指示を受けたとおりの第１のメッセージＭ１（第１フレーム）を再度送出する（Ｓ１２Ｊ）。
【００７９】
一方、ＵＳＣＣＨ（２）を受信したＰＨＳ端末５−１〜５−ｐは、受信したＵＳＣＣＨ（２）にて送信された第１のメッセージＭ１が受信対象のメッセージであれば、これを一時的に格納しておく。
【００８０】
次に、構内電話交換機１は、所定時間（スーパーフレーム送出周期、例えば１．２秒）を経過して、次の通報メッセージの送出タイミングになると第２回目の第２フレームにて図１０に示す第２のメッセージＭ２をＰＨＳ端末５−１〜５−ｐに送信するように全てのＰＨＳ基地局４−１〜４−ｍへ指示を行う（Ｓ１２Ｋ）。
【００８１】
すると、各ＰＨＳ基地局４−１〜４−ｍは、ＵＳＣＣＨ（２）によって、指示を受けたとおりの第２のメッセージＭ２（第２フレーム）を送出する（Ｓ１２Ｌ）。さらに、各ＰＨＳ基地局４−１〜４−ｍは、次のＵＳＣＣＨ（２）送出タイミングにて、指示を受けたとおりの第２のメッセージＭ２（第２フレーム）を再度送出する（Ｓ１２Ｍ）。
【００８２】
一方、ＵＳＣＣＨ（２）を受信したＰＨＳ端末５−１〜５−ｐは、受信したＵＳＣＣＨ（２）にて送信された第２のメッセージＭ２が受信対象のメッセージであり、かつ、先にＵＳＣＣＨ（２）にて第１のメッセージＭ１を受信していれば、第１のメッセージＭ１と第２のメッセージＭ２により、一斉通報された文字メッセージを作成して、かつ、先に同一の文字メッセージを受信していなければ、これを表示部５Ｍに表示し、かつ、着信鳴動等を行う着信表示を行う。ここで、先に同一の文字メッセージを受信している場合は、この文字メッセージを廃棄して、着信表示は行わないように処理する。
【００８３】
次に、構内電話交換機１は、一斉通報メッセージを２回（第１のメッセージＭ１（第１フレーム）が２回と、第２のメッセージＭ２（第２フレーム）が２回）送信して、所定時間（４回のスーパーフレーム送出周期、例えば４．８秒（当初の通報時点から４．８秒））を経過すると、通報停止の処理を行う（Ｓ１２Ｎ）。すなわち、構内電話交換機１は、図９に示す第１のメッセージＭ１の着信状態Ｍ１ｂに「停止」を示す情報を格納し、通報メッセージの送出タイミングになると、この第１のメッセージＭ１（一斉通報停止）を第１回目の第１フレームにてＰＨＳ端末５−１〜５−ｐに送信するように全てのＰＨＳ基地局４−１〜４−ｍへ指示を行う（Ｓ１２Ｏ）。
【００８４】
すると、各ＰＨＳ基地局４−１〜４−ｍは、ＵＳＣＣＨ（２）によって、指示を受けたとおりの第１のメッセージＭ１（第１フレーム）を送出する（Ｓ１２Ｐ）。さらに、各ＰＨＳ基地局４−１〜４−ｍは、次のＵＳＣＣＨ（２）送出タイミングにて、指示を受けたとおりの第１のメッセージＭ１（第１フレーム）を再度送出する（Ｓ１２Ｑ）。
【００８５】
次に、構内電話交換機１は、所定時間（スーパーフレーム送出周期、例えば１．２秒）を経過して、次の通報メッセージの送出タイミングになると第２回目の第１フレームにて図９に示す第１のメッセージＭ１（一斉通報停止）をＰＨＳ端末５−１〜５−ｐに送信するように全てのＰＨＳ基地局４−１〜４−ｍへ指示を行う（Ｓ１２Ｒ）。すなわち、構内電話交換機１は、所定時間経過後、同じ一斉通報メッセージ（一斉通報停止）を再度送信する処理を行う。
【００８６】
すると、各ＰＨＳ基地局４−１〜４−ｍは、ＵＳＣＣＨ（２）によって、指示を受けたとおりの第１のメッセージＭ１（第１フレーム）を送出する（Ｓ１２Ｓ）。さらに、各ＰＨＳ基地局４−１〜４−ｍは、次のＵＳＣＣＨ（２）送出タイミングにて、指示を受けたとおりの第１のメッセージＭ１（第１フレーム）を再度送出する（Ｓ１２Ｔ）。
【００８７】
一方、ＵＳＣＣＨ（２）を受信したＰＨＳ端末５−１〜５−ｐは、受信したＵＳＣＣＨ（２）にて送信された第１のメッセージＭ１が受信対象のメッセージであれば、一斉通報が停止状態にあることを認識して、通常動作モードに移行する。
【００８８】
ところで、ＰＨＳ基地局４−１〜４−ｍから、ＰＨＳ端末５−１〜５−ｐには常時スーパーフレームがサイクリックに送信されている。従って、ステップＳ１２Ｔの後も、ＵＳＣＣＨ（２）がＰＨＳ基地局４−１〜４−ｍからＰＨＳ端末５−１〜５−ｐへ伝送されているが、そのＵＳＣＣＨ（２）で送信されるメッセージ内容は、ステップＳ１２ＳやＳ１２Ｔで送信されるものと同一のものにしている。すなわち、一斉通報処理が無い場合には、ＰＨＳ基地局４−１〜４−ｍからＰＨＳ端末５−１〜５−ｐに対して、図９に示す第１のメッセージＭ１の着信状態Ｍ１ｂに「停止」を示す情報を格納した第１のメッセージＭ１（一斉通報停止）を繰り返し送信して、ＰＨＳ端末５−１〜５−ｐに一斉通報が無いことを通知し続けている。
【００８９】
また、以上の構内電話交換機１による再送処理や、ＰＨＳ基地局４−１〜４−ｍによる再送処理は、ＰＨＳ端末５−１〜５−ｐが一斉通報メッセージを確実に受信できるようにするためのものである。
【００９０】
図１３は、本発明の一斉通報メッセージを送信するための第２の動作シーケンスを示す図である。この図１３は、付加情報（ＩＮＦＯ）によって、通話中状態にあるＰＨＳ端末５−１〜５−ｐに一斉に通報メッセージを送信する動作シーケンスである。この処理は、ＰＨＳ端末５−１〜５−ｐが通話中状態の場合、ＵＳＣＣＨ（２）によって、第１のメッセージＭ１（第１フレーム）や第２のメッセージＭ２（第２フレーム）を受信できないため、通話中状態にあるＰＨＳ端末５−１〜５−ｐの個々に付加情報（ＩＮＦＯ）を用いて一斉通報メッセージを送出するためのものである。
【００９１】
図１３において、構内電話交換機１は、図１２と同様に通報指示を認識して通報処理を開始する（Ｓ１２Ａ）。すなわち、構内電話交換機１は、図５に示す通報テーブルＤ２に設定された一斉通報種別に一致する操作を認識して、対応する対象一斉通報グループ番号Ｄ２ｂや通報内容（文字メッセージ）Ｄ２ｃを抽出する。そして、図４に示す通報リストＤ１を用いて、抽出した対象一斉通報グループ番号に属し、かつ呼出先ＰＳ状態が「通話中」にあるＰＨＳ端末があるか判断する（Ｓ１３Ａ）。そして判断の結果、通話中のＰＨＳ端末がなければ処理を終了する。
【００９２】
一方、ステップＳ１３Ｂの判断の結果、抽出した対象一斉通報グループ番号に属し、かつ呼出先ＰＳ状態が「通話中」にあるＰＨＳ端末があった場合には、図１１に示す一斉通報メッセージを付加情報（ＩＮＦＯ）で送信するための第３のメッセージＭ３を作成する。そして、抽出した対象一斉通報グループ番号に属し、かつ呼出先ＰＳ状態が「通話中」にあるＰＨＳ端末の一つを選択して、この選択したＰＨＳ端末（５−１〜５−ｐのいずれか一つ）に、付加情報（ＩＮＦＯ）にて第３のメッセージＭ３を送信するように、全てのＰＨＳ基地局４−１〜４−ｍへ指示を行う（Ｓ１３Ｂ）。
【００９３】
すると、各ＰＨＳ基地局４−１〜４−ｍは、付加情報（ＩＮＦＯ）によって、指示を受けたとおりの第３のメッセージＭ３を対象となるＰＨＳ端末宛に送出する（Ｓ１３Ｃ）。一方、ＰＨＳ端末はこの付加情報（ＩＮＦＯ）にて第３のメッセージＭ３を受信すると、可聴音を短時間出力して一斉通報メッセージを受信したことを通知し、また、受信した一斉通報メッセージを図７に示す一斉通報メッセージ受信履歴テーブルＤ４へ格納する（Ｓ１３Ｄ）。
【００９４】
次に、構内電話交換機１は、所定時間（例えば１００ｍ秒）を経過して、次の付加情報（ＩＮＦＯ）の送出タイミングになると、抽出した対象一斉通報グループ番号に属し、かつ呼出先ＰＳ状態が「通話中」にある他のＰＨＳ端末があるかを判断する（Ｓ１３Ｅ）。判断の結果、他に送信すべきＰＨＳ端末がなければ処理を終了する。一方、他に送信すべきＰＨＳ端末があれば、ＰＨＳ端末の一つを選択して、この選択したＰＨＳ端末（５−１〜５−ｐのいずれか一つ）に、付加情報（ＩＮＦＯ）にて第３のメッセージＭ３を送信するように、全てのＰＨＳ基地局４−１〜４−ｍへ指示を行う（Ｓ１３Ｆ）。
【００９５】
すると、各ＰＨＳ基地局４−１〜４−ｍは、付加情報（ＩＮＦＯ）によって、指示を受けたとおりの第３のメッセージＭ３を対象となるＰＨＳ端末宛に送出する（Ｓ１３Ｇ）。一方、ＰＨＳ端末はこの付加情報（ＩＮＦＯ）にて第３のメッセージＭ３を受信すると、可聴音を短時間出力して一斉通報メッセージを受信したことを通知し、また、受信した一斉通報メッセージを図７に示す一斉通報メッセージ受信履歴テーブルＤ４へ格納する（Ｓ１３Ｈ）。
【００９６】
以降、構内電話交換機１は、所定時間（例えば１００ｍ秒）を経過の度に、ステップＳ１３Ｅと同様に、付加情報（ＩＮＦＯ）によって一斉通報メッセージを送信すべきＰＨＳ端末があるか判断し、有る場合は、ステップＳ１３Ｆ〜ステップＳ１３Ｈの処理を行う。
【００９７】
次に、図１２に示すシーケンスや図１３に示すシーケンスを実現する構内電話交換機１の処理について説明する。
【００９８】
図１４ないし図１６は、本発明の一斉通報メッセージを送信するための構内電話交換機の一斉通報監視フローチャート図である。
【００９９】
構内電話交換機１は、一斉通報処理を行うための一斉通報監視周期プログラムを備えており、図１４はそのフローチャートである。図１４において、周期的に一斉通報があるかを検出し（Ｓ１４Ａ）、検出しなければ処理を終了する。一方、一斉通報を検出した場合は、一斉通報の種別を認識し（Ｓ１４Ｂ）、通報テーブルＤ２を参照する（Ｓ１４Ｃ）。すなわち、通報テーブルＤ２の一斉通報種別Ｄ２ａに合致する操作があれば、その一斉通報種別に対応する対象一斉通報グループ番号Ｄ２ｂと通報内容（文字メッセージ）Ｄ２ｃを抽出する。そして、一斉通報処理を起動（開始）する（Ｓ１４Ｄ）。
【０１００】
構内電話交換機１は、一斉通報処理によって一斉通報メッセージを送信するための周期プログラムを備えており、図１５及び図１６はそのフローチャートである。図１５及び図１６において、構内電話交換機１は、一斉通報処理が開始されているか判断し（Ｓ１５Ａ）、開始されていない場合は処理を終了する。一方、一斉通報処理が開始されている場合は、ＵＳＣＣＨ（２）送出周期になったかを判断して（Ｓ１５Ｂ）、ＵＳＣＣＨ（２）送出周期であれば、まず、第１フレーム送出の処理によって、図１２のステップＳ１２Ｂに示す第１のメッセージＭ１を送出処理を行う（Ｓ１５Ｃ）。
【０１０１】
この処理（ステップＳ１５Ｃ）で、まず、図９に示す一斉通報メッセージをＵＳＣＣＨ（２）で送信するための第１のメッセージＭ１を作成する。すなわち、第１のメッセージＭ１の着信状態Ｍ１ｂには「着信であるこを示す情報」を格納し、フレーム番号Ｍ１ｃには「第１フレームであることを示す情報」を格納し、着信グループ（一斉通報グループ番号）Ｍ１ｄには「図１４のステップＳ１４Ｃで抽出した対象一斉通報グループ番号を示す情報」を格納し、番号デジット（キャラクタ「１」）Ｍ１ｅ、番号デジット（キャラクタ「２」）Ｍ１ｆ、番号デジット（キャラクタ「３」）Ｍ１ｇ、番号デジット（キャラクタ「４」）Ｍ１ｈ、及び番号デジット（キャラクタ「５」）Ｍ１ｉにはそれぞれ「図１４のステップＳ１４Ｃで抽出した通報内容（文字メッセージ）を示す情報」の前半の４．５バイト分を格納し、また、状態変化Ｍ１ｊには「前回の値をインクリメントした値」を格納した第１のメッセージＭ１を作成する。
【０１０２】
そして、この第１のメッセージＭ１をＵＳＣＣＨ（２）でＰＨＳ端末５−１〜５−ｐに送信するようにＰＨＳ基地局４−１〜４−ｍへ指示を行う。
【０１０３】
次に、ステップＳ１５Ｂにて、再度、ＵＳＣＣＨ（２）送出周期になったと判断されると、第２フレーム送出の処理によって、図１２のステップＳ１２Ｅに示す第２のメッセージＭ２を送出処理を行う（Ｓ１５Ｄ）。
【０１０４】
この処理（ステップＳ１５Ｄ）で、まず、図１０に示す一斉通報メッセージをＵＳＣＣＨ（２）で送信するための第２のメッセージＭ２を作成する。すなわち、第２のメッセージＭ２のメッセージ番号Ｍ２ｂには「今回のメッセージ番号を示す情報」を格納し、フレーム番号Ｍ２ｃには「第２フレームであることを示す情報」を格納し、着信グループ（一斉通報グループ番号）Ｍ２ｄには「図１４のステップＳ１４Ｃで抽出した対象一斉通報グループ番号を示す情報」を格納し、番号デジット（キャラクタ「５」）Ｍ２ｅ、番号デジット（キャラクタ「６」）Ｍ２ｆ、番号デジット（キャラクタ「７」Ｍ２ｇ、番号デジット（キャラクタ「８」）Ｍ２ｈ、及び番号デジット（キャラクタ「９」）Ｍ２ｉにはそれぞれ「図１４のステップＳ１４Ｃで抽出した通報内容（文字メッセージ）を示す情報」の後半の４．５バイト分を格納し、また、状態変化Ｍ２ｊには「前回の値をインクリメントした値」を格納した第２のメッセージＭ２を作成する。
【０１０５】
そして、この第２のメッセージＭ２をＵＳＣＣＨ（２）でＰＨＳ端末５−１〜５−ｐに送信するようにＰＨＳ基地局４−１〜４−ｍへ指示を行う。
【０１０６】
次に、ステップＳ１５Ｂにて、再度、ＵＳＣＣＨ（２）送出周期になったと判断されると、第１フレーム再送送出の処理によって、図１２のステップＳ１２Ｈに示す第１のメッセージＭ１を送出処理を行う（Ｓ１５Ｅ）。
【０１０７】
この処理（ステップＳ１５Ｅ）で、まず、ステップＳ１５Ｃで作成したのと同様に第１のメッセージＭ１を作成し（但し、状態変化Ｍ１ｊには「前回の値をインクリメントした値」を格納する）、この第１のメッセージＭ１をＵＳＣＣＨ（２）でＰＨＳ端末５−１〜５−ｐに送信するようにＰＨＳ基地局４−１〜４−ｍへ指示を行う。
【０１０８】
次に、ステップＳ１５Ｂにて、再度、ＵＳＣＣＨ（２）送出周期になったと判断されると、第２フレーム再送送出の処理によって、図１２のステップＳ１２Ｋに示す第２のメッセージＭ２を送出処理を行う（Ｓ１５Ｆ）。
【０１０９】
この処理（ステップＳ１５Ｆ）で、まず、ステップＳ１５Ｄで作成したのと同様に第２のメッセージＭ２を作成し（但し、状態変化Ｍ２ｊには「前回の値をインクリメントした値」を格納する）、この第２のメッセージＭ２をＵＳＣＣＨ（２）でＰＨＳ端末５−１〜５−ｐに送信するようにＰＨＳ基地局４−１〜４−ｍへ指示を行う。
【０１１０】
次に、ステップＳ１５Ｂにて、再度、ＵＳＣＣＨ（２）送出周期になったと判断されると、停止フレーム送出の処理によって、図１２のステップＳ１２Ｏに示す第１のメッセージＭ１を送出処理を行う（Ｓ１５Ｇ）。
【０１１１】
この処理（ステップＳ１５Ｇ）で、まず、第１のメッセージＭ１の着信状態Ｍ１ｂには「停止であるこを示す情報」を格納し、また、状態変化Ｍ１ｊには「前回の値をインクリメントした値」を格納した（その他の領域は意味無し）第１のメッセージＭ１し、この第１のメッセージＭ１をＵＳＣＣＨ（２）でＰＨＳ端末５−１〜５−ｐに送信するようにＰＨＳ基地局４−１〜４−ｍへ指示を行う。
【０１１２】
次に、ステップＳ１５Ｂにて、再度、ＵＳＣＣＨ（２）送出周期になったと判断されると、停止フレーム再送送出の処理によって、図１２のステップＳ１２Ｒに示す第１のメッセージＭ１を送出処理を行う（Ｓ１５Ｈ）。
【０１１３】
この処理（ステップＳ１５Ｈ）で、まず、ステップＳ１５Ｇで作成したのと同様に第１のメッセージＭ１を作成し（但し、状態変化Ｍ２ｊには「前回の値をインクリメントした値」を格納する）、この第１のメッセージＭ１をＵＳＣＣＨ（２）でＰＨＳ端末５−１〜５−ｐに送信するようにＰＨＳ基地局４−１〜４−ｍへ指示を行う。そして、一斉通報処理の管理フラグを停止とする（Ｓ１５Ｉ）。
【０１１４】
次に、ステップＳ１５Ｂにて、付加情報（ＩＮＦＯ）送出周期になったと判断されると、図１６に示すフローチャートの処理が行われる。まず、図４に示す通報リストＤ１を用いて、抽出した対象一斉通報グループ番号に属し、かつ呼出先ＰＳ状態が「通話中」にあるＰＨＳ端末への付加情報（ＩＮＦＯ）の送出処理が終了したか判断し（Ｓ１６Ａ）、終了していれば処理を終了する。
【０１１５】
一方、呼出先ＰＳ状態が「通話中」にあるＰＨＳ端末への付加情報（ＩＮＦＯ）の送出処理が終了していない場合は、図４に示す通報リストＤ１の対象となるグループ番号の呼出先ＰＳ電話番号情報Ｄ１ｂを抽出し（Ｓ１６Ｂ）、呼出先ＰＳ状態が「通話中」かどうか（空か塞がりかどうか）を判断し（Ｓ１６Ｃ）、判断の結果、「通話中（塞がり）」であれば、図１３のステップＳ１３Ｂ又はＳ１３Ｆに示すように、このＰＨＳ端末へ付加情報（ＩＮＦＯ）によって、一斉通報メッセージを送出する（Ｓ１６Ｄ）。
【０１１６】
この処理（ステップＳ１６Ｄ）で、まず、図１１に示す一斉通報メッセージを付加情報（ＩＮＦＯ）で送信するための第３のメッセージＭ３を作成する。すなわち、第３のメッセージＭ３のメッセージ番号Ｍ３ｆには「今回のメッセージ番号を示す情報」を格納し、着信グループ（一斉通報グループ番号）Ｍ３ｇには「図１４のステップＳ１４Ｃで抽出した対象一斉通報グループ番号を示す情報」を格納し、さらに、番号デジット（キャラクタ「１」）Ｍ３ｈから番号デジット（キャラクタ「９」）Ｍ３ｐにはそれぞれ「図１４のステップＳ１４Ｃで抽出した通報内容（文字メッセージ）を示す情報」を格納した第３のメッセージＭ３を作成する。
【０１１７】
そして、送出対象となるＰＨＳ端末（５−１〜５−ｐのいずれか一つ）に、付加情報（ＩＮＦＯ）にて第３のメッセージＭ３を送信するように、全てのＰＨＳ基地局４−１〜４−ｍへ指示を行う。
【０１１８】
一方、ステップＳ１６Ｃで、「空き」と判断されれば、次のＰＨＳ端末があるか判断し（Ｓ１６Ｅ）、他のＰＨＳ端末が有るれば、ステップＳ１６Ｂに戻って処理を継続する。また、ステップＳ１６Ｅで、他のＰＨＳ端末が無いと判断されれば、「全終了」状態と設定して（Ｓ１６Ｆ）、処理を終了する。
【０１１９】
以上、本発明の一斉通報メッセージを送信するための構内電話交換機の動作を説明した。
【０１２０】
次に、図１２に示すシーケンスや図１３に示すシーケンスを実現するＰＨＳ端末５−１〜５−ｍの処理について説明する。
【０１２１】
図１７は、本発明のＰＨＳ端末の電源ＯＮ時／ＰＨＳ基地局捕捉時フローチャート図である。図１７において、ＰＨＳ端末５−１〜５−ｐは、電源ＯＮ時や新たにＰＨＳ基地局４−１〜４−ｍを捕捉した時に、スーパーフレームのＢＣＣＨ（Ａ）を検出する（Ｓ１７Ａ）。ＢＣＣＨ（Ａ）を検出すると、ＢＣＣＨ（Ａ）に格納されているチャネル構造に関する情報を基にスパーフレームの構成を解析する（Ｓ１７Ｂ）。そして、図６に示す端末テーブルＤ３に設定されている一斉通報受信有無の項目が「有り」か又は「無し」かを抽出して、動作モードが通常モードか一斉通報受信モードかを確認する（Ｓ１７Ｃ）。
【０１２２】
そして、動作モードが通常モード（一斉通報受信有無の項目が「無し」と設定）の場合は、図８に示すスーパーフレーム構成が（ａ）通常時であれば、「起動ａ１」と「起動ａ２」の時点でスリープモードから起動し、また、図８に示すスーパーフレーム構成が（ｂ）一斉通報通常時であれば、「起動ｂ２」と「起動ｂ４」の時点でスリープモードから起動して、ＰＣＨ（ＰＣＨ１及びＰＣＨ２）を受信するように起動時間を記憶する。また、動作モードが一斉通報受信モード（一斉通報受信有無の項目が「有り」と設定）の場合は、図８に示すスーパーフレーム構成の（ｂ）一斉通報通常時において、「起動ｂ１」と「起動ｂ２」と「起動ｂ３」と「起動ｂ４」の時点でスリープモードから起動し、ＵＳＣＣＨ（２）とＰＣＨ（ＰＣＨ１及びＰＣＨ２）を受信するように起動時間を記憶する（Ｓ１７Ｄ）。
【０１２３】
そして、バッテリーセービングモードに移行させる（Ｓ１７Ｅ）。なお、バッテリーセービングモードはバッテリーの消費を抑えるものであり、ＰＨＳ端末が待受け状態の場合で、必要な無線信号を受信するとき以外は、音声処理部５Ｃ、コーデック５Ｄ、ＴＤＭＡ処理部５Ｅ、復調部５Ｆ、変調部５Ｇ、受信部５Ｈ、送信部５Ｊ、スイッチ部（ＳＷ）５５Ｋ、表示部５Ｍ、及びランプ部５Ｎ等に電力を供給しないようにするものである。そして、スパーフレームの必要な信号を受信するときには、ＴＤＭＡ処理部５Ｅ、復調部５Ｆ、受信部５Ｈ、及びスイッチ部（ＳＷ）５５Ｋに電力を与え（すなわち起動し）、ＵＳＣＣＨ（２）やＰＣＨ（ＰＣＨ１及びＰＣＨ２）を受信できるようにしている。
【０１２４】
図１８は、本発明のＰＨＳ端末が通常モード時の待受け状態フローチャート図である。図１８において、ＰＨＳ端末５−１〜５−ｐは、先に記憶した起動時間が到来したかを判断し（Ｓ１８Ａ）、到来していればスリープモードを解除して起動し、ＰＣＨ（ＰＣＨ１及びＰＣＨ２）受信準備を始める（Ｓ１８Ｂ）。次に、ＰＣＨ（ＰＣＨ１及びＰＣＨ２）を受信し（Ｓ１８Ｃ）、自ＰＨＳ端末５−１〜５−ｐへの着信があるか判別して（Ｓ１８Ｄ）、着信があれば着信処理に移行する（Ｓ１８Ｅ）。また、着信がなければスリープモードに移行して（Ｓ１８Ｆ）、次の起動時間の到来を待つ。
【０１２５】
図１９は、本発明のＰＨＳ端末が一斉通報受信モード時の待受け状態フローチャート図である。図１９において、ＰＨＳ端末５−１〜５−ｐは、先に記憶した起動時間が到来したかを判断し（Ｓ１９Ａ）、到来していればスリープモードを解除して起動し、ＰＣＨ（ＰＣＨ１及びＰＣＨ２）又はＵＳＣＣＨ（２）受信準備を始める（Ｓ１９Ｂ）、次に、ＰＣＨ（ＰＣＨ１及びＰＣＨ２）又はＵＳＣＣＨ（２）を受信する（Ｓ１９Ｃ）。そして、受信したフレームがＰＣＨ（ＰＣＨ１及びＰＣＨ２）を受信したかを判別し（Ｓ１９Ｄ）、ＰＣＨ（ＰＣＨ１及びＰＣＨ２）を受信した場合には、自ＰＨＳ端末５−１〜５−ｐへの着信があるか判別して（Ｓ１８Ｄ）、着信があれば一斉通報メッセージ受信処理中かを判別する（Ｓ１９Ｆ）。
【０１２６】
ステップＳ１９Ｆの判別の結果、一斉通報メッセージ受信処理中で無い場合は、着信処理へ移行し（Ｓ１９Ｇ）、一方、一斉通報メッセージ受信処理中の場合は、ステップＳ１９Ｅで認識した着信を無効化して（すなわち着信不可の応答として）（Ｓ１９Ｈ）、処理を終了する。また、ステップＳ１９Ｅの判断において、着信が無いと判断した場合にはスリープモードに移行して（Ｓ１９Ｉ）、次の起動時間の到来を待つ。
【０１２７】
さらに、ステップＳ１９Ｄの判断において、受信したフレームがＰＣＨ（ＰＣＨ１及びＰＣＨ２）でない場合、すなわち、ＵＳＣＣＨ（２）を受信したと判断した場合には、通報メッセージ受信処理（１）へ移行する（Ｓ１９Ｊ）。なお、この通報メッセージ受信処理（１）の詳細動作は後述する。
【０１２８】
図２０は、本発明のＰＨＳ端末の発信操作監視フローチャート図である。図２０において、ＰＨＳ端末５−１〜５−ｐは、発信操作が有るかを判断し（Ｓ２０Ａ）、発信操作が合った場合には、一斉通報メッセージ受信処理中かを判別する（Ｓ２０Ｂ）。ここで、一斉通報メッセージ受信処理中でなければ発信処理に移行し（Ｓ２０Ｃ）、一斉通報メッセージ受信処理中であれば発信操作を無効化して（Ｓ２０Ｄ）、処理を終了する。
【０１２９】
すなわち、図１９の着信処理（ステップＳ１９Ｇ）と、図２０の発信処理（ステップＳ２０Ｃ）は、一斉通報メッセージ受信処理中のときに行うことはできず、一斉通報メッセージ受信処理を優先して行う。なお、一斉通報メッセージ受信処理中か否かの判断は、メッセージ処理フラグで判断しているものであり、その説明は、図２１のフローチャートにて行う。
【０１３０】
図２１は、本発明のＰＨＳ端末の一斉通報メッセージ受信処理（１）フローチャート図である。これは、図１９に示すフローチャートのステップＳ１９Ｊに示した処理であり、ＰＨＳ端末がＰＨＳ基地局からＵＳＣＣＨ（２）を受信する度に、この処理が行われる。
【０１３１】
図２１において、ＰＨＳ端末５−１〜５−ｐは、ＵＳＣＣＨ（２）を受信すると（Ｓ２１Ａ）、そのメッセージ内容を解読する（Ｓ２１Ｂ）。解読により、このメッセージに含まれる着信グループ（一斉通報グループ番号）Ｍ１ｄ又はＭ２ｄ内の着信グループと自端末の端末テーブルＤ３に設定された一斉通報グループ番号６１を比較して処理対象の一斉通報グループ番号か判断する（Ｓ２１Ｃ）。このとき、通知された着信グループ（一斉通報グループ番号）Ｍ１ｄ又はＭ２ｄが全端末が処理する一斉通報グループ番号の場合も処理対象と判断する。そして、処理対象外と判断した場合は、受信メッセージを廃棄して、ＰＨＳ端末をスリープモードに移行させて処理を終了する（Ｓ２１Ｄ）。
【０１３２】
一方、ステップＳ２１ｃで処理対象と判断されると、フレーム番号Ｍ１ｃ又はＭ２ｃ内のフレーム番号により、第１フレーム（第１のメッセージＭ１）か第２フレーム（第２のメッセージＭ２）かを判断し（Ｓ２１Ｅ）、第１フレーム（第１のメッセージＭ１）であれば、着信状態Ｍ１ｂに含まれる情報が停止か着信かを判断して（Ｓ２１Ｆ）、これが着信であれば、メッセージ処理フラグをＯＮする（Ｓ２１Ｇ）。
【０１３３】
次に、受信したメッセージに含まれる番号デジット（キャラクタ「１」）Ｍ１ｅ、番号デジット（キャラクタ「２」）Ｍ１ｆ、番号デジット（キャラクタ「３」）Ｍ１ｇ、番号デジット（キャラクタ「４」）Ｍ１ｈ、及び番号デジット（キャラクタ「５」）Ｍ１ｉからキャラクタコード（文字メッセージのコード）を読み取って、一時的に格納しておき（Ｓ２１Ｈ）、スリープモードに移行させて（Ｓ２１Ｉ）、処理を終了する。なお、ステップＳ２１Ｆの判断において、着信状態Ｍ１ｂに含まれる情報が停止と判断された場合は、メッセージ処理フラグをＯＦＦとし（Ｓ２１Ｊ）、ステップＳ２１Ｉへ移行する。
【０１３４】
なお、メッセージ処理フラグは、一斉通報の受信処理中か否かを識別フラグであり、このフラグが処理中（ＯＮ）となっている場合、図１９のフローチャートや図２０のフローチャートに示すように、ＰＨＳ端末５−１〜５−ｐは発着信動作を行わないように処理する。
【０１３５】
一方、ステップＳ２１Ｅの判断において、第２フレーム（第２のメッセージＭ２）と判断された場合には、第１フレーム（第１のメッセージＭ１）を受信しているかを判断し（Ｓ２１Ｋ）、第１フレーム（第１のメッセージＭ１）を受信していない場合は、受信メッセージを廃棄して、ＰＨＳ端末をスリープモードに移行させて処理を終了する（Ｓ２１Ｌ）。また、第１フレーム（第１のメッセージＭ１）を受信している場合は、受信したメッセージに含まれる番号デジット（キャラクタ「５」）Ｍ２ｅ、番号デジット（キャラクタ「６」）Ｍ２ｆ、番号デジット（キャラクタ「７」）Ｍ２ｇ、番号デジット（キャラクタ「８」）Ｍ２ｈ、及び番号デジット（キャラクタ「９」）Ｍ２ｈからキャラクタコード（文字メッセージのコード）を読み取って、先に一時的に格納した、番号デジット（キャラクタ「１」）Ｍ１ｅ、番号デジット（キャラクタ「２」）Ｍ１ｆ、番号デジット（キャラクタ「３」）Ｍ１ｇ、番号デジット（キャラクタ「４」）Ｍ１ｈ、及び番号デジット（キャラクタ「５」）Ｍ１ｉのキャラクタコード（文字メッセージのコード）と結合して、通報文字メッセージを作成する（Ｓ２１Ｍ）。
【０１３６】
次に、この表示文字メッセージを既に受信済みか、すなわち、第２フレーム（第２のメッセージ）のメッセージ番号Ｍ２ｂに格納されてメッセージ番号と同一のメッセージを受信しているか否かを判断し（Ｓ２１Ｎ）、同一のメッセージを受信済みであれば、作成した通報文字メッセージを廃棄して（Ｓ２１Ｏ）、ステップＳ２１Ｉへ移行する。
【０１３７】
一方、同一のメッセージを受信していなければ、作成した通報文字メッセージを図７に示す一斉通報メッセージ受信履歴テーブルＤ４に受信履歴として格納し（Ｓ２１Ｐ）、メッセージ表示処理に移行する（Ｓ２１Ｑ）。
【０１３８】
図２２は、本発明のＰＨＳ端末のメッセージ表示処理フローチャート図である。これは、図２１に示すフローチャートのステップＳ２１Ｑに示した処理の詳細を示すものである。
【０１３９】
図２２において、ＰＨＳ端末５−１〜５−ｐは、図２１のステップＳ２１Ｍにて作成した通報文字メッセージをＰＨＳ端末５−１〜５−ｐの表示部５Ｍに表示させる（Ｓ２２Ａ）。そして、自端末の端末テーブルＤ３に設定された条件で、着信音鳴動とバイブレータ動作を発生させる（Ｓ２２Ｂ）。図２４は、この状態の概念を示すもので、ＰＨＳ端末５−１〜５−ｐの表示部５Ｍは、待受け状態（Ｓ２４ａ）から一斉通報メッセージ受信表示の状態（Ｓ２４ｂ）へ移行する。
【０１４０】
この後、「通話」ボタンの操作が行われたかどうかを認識し（Ｓ２２Ｃ）、「通話」ボタンの操作が操作された場合には、着信音鳴動とバイブレータ動作を停止し（Ｓ２２Ｄ）、次のステップ２２Ｅへ移行する。すなわち、図２４において、ＰＨＳ端末５−１〜５−ｐの表示部５Ｍは、一斉通報メッセージ受信表示（Ｓ２４ｂ）から、着信音鳴動等なしの一斉通報メッセージ受信表示の状態（Ｓ２４ｃ）へ移行する。
【０１４１】
また、「通話」ボタンが操作されない場合には、「切断」ボタンの操作が行われたかどうかを認識する（Ｓ２２Ｅ）。このステップＳ２２Ｅの判断において、「切断」ボタンが操作されたと認識した場合には、着信音鳴動とバイブレータ動作と通報文字メッセージの表示を停止し（Ｓ２２Ｆ）、メッセージ処理フラグをＯＦＦとして（Ｓ２２Ｇ）、表示部５Ｍには、待受け表示モードの表示を行う（Ｓ２２Ｈ）。すなわち、図２４において、ＰＨＳ端末５−１〜５−ｐの表示部５Ｍは、一斉通報メッセージ受信表示（Ｓ２４ｂ）から待受け状態（Ｓ２４ａ）へ移行する。
【０１４２】
一方、ステップＳ２２Ｅの判断において、「切断」ボタンが操作されないと認識した場合には、着信表示状態を所定時間（例えば、２０秒）経過したかどうかを判断し（Ｓ２２Ｉ）、経過していない場合には、ステップ２２Ｃに戻って処理を継続する。また、ステップＳ２２Ｉで着信表示状態を所定時間経過したと判断した場合は、着信音鳴動とバイブレータ動作と通報文字メッセージの表示を停止し（Ｓ２２Ｊ）、メッセージ処理フラグをＯＦＦとして（Ｓ２２Ｋ）、表示部５Ｍには、一斉通報ありの表示を行う。すなわち、図２４において、ＰＨＳ端末５−１〜５−ｐの表示部５Ｍは、一斉通報メッセージ受信表示（Ｓ２４ｂ）から、一斉通報ありの受信表示の状態（Ｓ２４ｄ）へ移行する。
【０１４３】
図２３は、本発明のＰＨＳ端末の一斉通報メッセージ受信処理（２）フローチャート図である。これは、ＰＨＳ端末５−１〜５−ｐが通話中状態（塞がり状態）であり、ＰＨＳ基地局から付加情報（ＩＮＦＯ）を受信した際にこの処理が行われる。
【０１４４】
図２３において、ＰＨＳ端末５−１〜５−ｐは、通話中状態（塞がり状態）でＰＨＳ基地局４−１〜４−ｍから付加情報（ＩＮＦＯ）を受信すると（Ｓ２３Ａ）、その付加情報（ＩＮＦＯ）に含まれるメッセージ内容を解読する（Ｓ２３Ｂ）。解読により、このメッセージ（第３のメッセージＭ３）に含まれる着信グループ（一斉通報グループ番号）Ｍ３ｇ内の着信グループと自端末の端末テーブルＤ３に設定された一斉通報グループ番号６１を比較して処理対象の一斉通報グループ番号か判断する（Ｓ２３Ｃ）。このとき、通知された着信グループ（一斉通報グループ番号）Ｍ３ｇが全端末が処理する一斉通報グループ番号の場合も処理対象と判断する。そして、処理対象外と判断した場合は、受信メッセージを廃棄する（Ｓ２３Ｄ）。
【０１４５】
次に、この表示文字メッセージを既に受信済みか、すなわち、受信したメッセージのメッセージ番号Ｍ３ｆに格納されてメッセージ番号と同一のメッセージを受信しているか否かを判断し（Ｓ２３Ｅ）、同一のメッセージを受信済みであれば、通報文字メッセージを廃棄して（Ｓ２３Ｆ）、処理を終了する。
【０１４６】
一方、同一のメッセージを受信していなければ、通報文字メッセージを図７に示す一斉通報メッセージ受信履歴テーブルＤ４に受信履歴として格納し（Ｓ２３Ｇ）、一斉通報メッセージを受信したことをＰＨＳ端末５−１〜５−ｐの表示部５Ｍに表示させて（Ｓ２３Ｈ）、一斉通報メッセージを受信したことを可聴音（ピッ・ピッ音）で知らせる（Ｓ２３Ｉ）。図２５は、この状態の概念を示すもので、ＰＨＳ端末５−１〜５−ｐの表示部５Ｍは、通話中状態（Ｓ２５ａ）から一斉通報メッセージ受信表示の状態（Ｓ２５ｂ）へ移行する。
【０１４７】
この後、「切断」ボタンの操作が行われたかどうかを監視し（Ｓ２３Ｊ）、「切断」ボタンが操作されたと認識した場合には、通話を切断して、表示部５Ｍには一斉通報ありの表示を行う（Ｓ２３Ｋ）。すなわち、図２５において、ＰＨＳ端末５−１〜５−ｐの表示部５Ｍは、一斉通報メッセージ受信表示の状態（Ｓ２５ｂ）から一斉通報ありの表示状態（Ｓ２５ｃ）へ移行する。
【０１４８】
この後、「切断」ボタンの操作が行われたかどうか又は所定時間（例えば、５秒）経過したかどうかを監視し（Ｓ２３Ｌ）、「切断」ボタンが操作されたと認識した場合又は所定時間を経過したと認識した場合には、表示部５Ｍは待受け表示モード（一斉通報あり）の表示状態とする（Ｓ２３Ｍ）。すなわち、図２５において、ＰＨＳ端末５−１〜５−ｐの表示部５Ｍは、一斉通報ありの表示状態（Ｓ２５ｃ）から待受け表示モード（一斉通報あり）の（Ｓ２５ｄ）へ移行する。
【０１４９】
以上、本発明の一斉通報メッセージを受信するためのＰＨＳ端末の動作を説明した。
【０１５０】
なお、一斉通報メッセージを行うための指示や操作（トリガー）は、特に限定されるものでなく、局線トランクへの特別な着信や、日時や時間でのタイマー動作でも良い。
【０１５１】
また、本実施の形態の電話交換システムには、汎用のＰＨＳ端末を用いても問題は生じない。すなわち、汎用のＰＨＳ端末は、必然的にＵＳＣＣＨ（２）を無視する処理に（ＵＳＣＣＨ（２）を受信しない処理に）なるのため、通常の発着信を行う内線電話機として用いることができる。さらに、本発明のＰＨＳ端末は、一斉通報の受信を行わない動作モードと設定すれば、通常のＰＨＳ端末と同様の動作を行うため、通常の（汎用の）ＰＨＳ端末としても使用することができる。
【０１５２】
特に、本発明の電話交換システムは、ＰＨＳサービスにて一斉通報メッセージを送信するものであるため、移動電話機としてＰＨＳ端末しか利用ができず、緊急の業務が頻繁に発生するような施設（例えば、病院や老人介護施設）では極めて有効な効力を発揮できるものである。
【０１５３】
さらに、本実施の形態では、構内電話交換機（ＰＢＸ）を例として説明したが、これは構内電話交換機に限定されるものではなく、ＰＨＳサービス若しくはＰＨＳ機能を提供する構内電話交換機（ＰＢＸ）やボタン電話装置（キーテレホン）等の種々の電話交換装置に適用することが可能である。
【符号の説明】
【０１５４】
１  ・・・構内電話交換機（ＰＢＸ）
１１・・・通話路スイッチ（ＳＷ）
１２・・・内線回路（ＬＩＮ）
１３・・・デジタル内線回路（ＤＬＩＮ）
１４−１〜１４−ｍ・・・コードレス電話トランク（ＤＲＩＦ）
１５・・・局線トランク（ＣＯＴ）
１６・・・外部装置入出力部
１７・・・制御装置
１８・・・記憶装置
１９・・・入出力装置
２０・・・制御バス
２  ・・・内線電話機
３  ・・・デジタル多機能電話機
４−１〜４−ｍ・・・ＰＨＳ基地局（ＢＳ）
５−１〜５−ｐ・・・ＰＨＳ端末（ＰＳ）
６−１〜６−ｑ・・・外部装置
７  ・・・公衆電話網
８  ・・・公衆一般電話機
９  ・・・メンテナンスパネル（ＭＰ）
【図１】
2010213092.tif 000003
【図２】
2010213092.tif 000004
【図３】
2010213092.tif 000005
【図４】
2010213092.tif 000006
【図５】
2010213092.tif 000007
【図６】
2010213092.tif 000008
【図７】
2010213092.tif 000009
【図８】
2010213092.tif 000010
【図９】
2010213092.tif 000011
【図１０】
2010213092.tif 000012
【図１１】
2010213092.tif 000013
【図１２】
2010213092.tif 000014
【図１３】
2010213092.tif 000015
【図１４】
2010213092.tif 000016
【図１５】
2010213092.tif 000017
【図１６】
2010213092.tif 000018
【図１７】
2010213092.tif 000019
【図１８】
2010213092.tif 000020
【図１９】
2010213092.tif 000021
【図２０】
2010213092.tif 000022
【図２１】
2010213092.tif 000023
【図２２】
2010213092.tif 000024
【図２３】
2010213092.tif 000025
【図２４】
2010213092.tif 000026
【図２５】
2010213092.tif 000027